(57)【要約】下記の特徴を有する作業架台。即ち作業架台は作業足場（２）の取付け及び／又は調整のための装置（１）を有し、作業足場（２）の装置（１）は作業足場（２）が接続される第１の器具（４）と連動し、第１の器具（４）は作業足場（２）の一方の側の区域を受台又は壁部（７）に支える取付け部材（１２）を有し、作業足場（２）は反対側（６）に、作業足場（２）を取付ける第２の器具（９）を有し、第２の器具（９）が引張装置（１１）と結合され、引張装置（１１）の一方の端部が作業足場（２）、他方の端部が立て支材（１４）と不動及び／又は可動に結合され、単数個又は複数個の横支材（３０）の取付けのための少なくとも１個の別の立て支材（３３）を、第１の立て支材（１４）に対し間隔を置いて作業足場（２）に取付けることができる。
2005536668.tif 000002
【特許請求の範囲】
【請求項１】
作業架台において、
下記の特徴、即ち
１．１．作業架台は作業足場（２）の取付け及び／又は調整のための装置（１）
を有し、
１．２．作業足場（２）の装置（１）は、作業足場（２）が接続された第１の器
具（４）と連動し、
１．３．第１の器具（４）は作業足場（２）の一方の側の区域を受台又は壁部（
７）に支える取付け部材（１２）を有し、
１．４．作業足場（２）が反対側（６）に、作業足場（２）を取付ける第２の器
具（９）を有し、
１．５．第２の器具（９）が引張装置（１１）と結合され、
１．６．引張装置（１１）の一方の端部が作業足場（２）と、他方の端部が立て
支材（１４）と不動及び／又は可動に結合され、
１．７．単数個又は複数個の横支材（３０）と取付けのための少なくとも１個の
別の立て支材（３３）を、第１の立て支材（１４）に対し間隔を置いて
作業足場（２）に取付けることができる
という特徴を有する作業架台。
【請求項２】
第１の立て支材（１４）が全作業足場（２）を支承又は担持することを特徴とする請求項１に記載の装置。
【請求項３】
作業足場（２）の支持又は取付けのための第１の器具（４）が嵌合部材及び／又はかみ合い部材として形成されていることを特徴とする請求項１又は２に記載の装置。
【請求項４】
第１の器具（４）が山形材として形成され、この山形材が壁部又は戸口敷居（７）の隅角部に支えられることを特徴とする上記請求項のいずれか１つに記載の装置。
【請求項５】
立て支材（１４）の確実取付けのための垂直取付け部材（１２．３）及び／又は床板（１５）を結合する横ばり（１６）の取付けのための第２の水平取付け部材（１２．２）が第１の器具（４）に設けられていることを特徴とする上記請求項のいずれか１つに記載の装置。
【請求項６】
少なくとも２個の取付け部材（１２．１、１２．３）が一体の部材をなすことを特徴とする上記請求項のいずれか１つに記載の装置。
【請求項７】
取付け部材（１２．１、１２．２、１２．３）の少なくとも１つを山形材（４）に固結することができることを特徴とする上記請求項のいずれか１つに記載の装置。
【請求項８】
引張材（１１）が別の取付け部材（１２）を介して、立て支材（１４）の上部区域で立て支材（１４）と結合されることを特徴とする上記請求項のいずれか１つに記載の装置。
【請求項９】
取付け部材（１２、９）及び／又は立て支材（１４、３３）にそれぞれ少なくとも１個の別の取付け部材（１３、１３．１、１３．２）が設けられ、この取付け部材が水平又はほぼ水平に延びる、もしくは傾斜した別の支材（３０）及び／又は床板の取付けのために使用されることを特徴とする上記請求項のいずれか１つに記載の装置。
【請求項１０】
取付け部材（１２、１３又は１３．１、１３．２）が支材（１４、３３）に変位可能に支承され、ロッキング部材又はボルト（２３）により支材（１４、３３）に固定することができることを特徴とする上記請求項のいずれか１つに記載の装置。
【請求項１１】
取付け部材（１２及び１３．２）の一部が管状部材として、その他の部分が山形材、Ｌ形材又はＵ形材として形成されていることを特徴とする上記請求項のいずれか１つに記載の装置。
【請求項１２】
連結された取付け部材（１２、１８．１）を回動自在に連結することができることを特徴とする上記請求項のいずれか１つに記載の装置。
【請求項１３】
作業足場又は床板（１５）が、ドア開口部（１９）を通って旋回し得る大きさの幅及び／又は長さを有することを特徴とする上記請求項のいずれか１つに記載の装置。
【発明の詳細な説明】
【技術分野】
【０００１】
本発明は作業足場の取付け及び／又は調整のための作業架台に関する。
【背景技術】
【０００２】
刊行物ＦＲ２６４１０１８はエレベータシャフトのための組立装置に関するものである。組立装置は戸口敷居に固定され、２本の平行なはりを有し、これらのはりは反対側の壁に支えられる。さらに水平な作業足場の入口として、補助梯子部材が設けられている。はりはロックピン付き伸縮ロッドとして形成され、水平との間に２５°の角を挟む。この組立装置は大変複雑であり、多数の部材で構成されている。迅速簡単な組立は不可能である。
【０００３】
また下記の特徴を有する作業架台が周知である（ＤＥ１９９２８５７４Ｃ２）。作業架台は作業足場の取付け及び／又は調整のための装置を有する。装置は作業足場の調整のために使用され、保持具又は支持部材を装備し、これに作業足場が調整可能に配置される。この保持具又は取付け部材は受座部材として利用される。そのために保持具は、作業足場の一方の側の区域を受台又は壁部に支える器具を有する。また作業足場は反対側に第２の器具を有し、第２の器具は支持部材を介して同じく受台又は壁部に支えられる。保持具は反対側に作業足場のためのロッキング装置を有する。ロッキング装置は保持具及び支持装置としてのはりからなり、壁部に当接される第２の支持部材を有する。保持具は引張材として形成され、その一端が作業足場と、他端がはりと移動可能に結合されている。作業足場を支持するために、作業足場はシャフト内に設けられた少なくとも２個の相対する側壁が必要である。
【発明の開示】
【発明が解決しようとする課題】
【０００４】
本発明の根底にあるのは、安価に製造され、２つの壁部の間及び／又は壁体又はドア開口部の区域に短時間で組み立てることができる、エレベータシャフト又は少なくとも２つの相対する壁部からなるその他のシャフトのための軽量の作業架台を提供する課題である。
【課題を解決するための手段】
【０００５】
この課題は本発明に基づき下記の特徴によって解決される。即ち作業架台は作業足場の取付け及び／又は調整のための装置を有し、作業足場の装置は作業足場が接続された第１の器具と連動し、第１の器具は作業足場の一方の側の区域を受台又は壁部に支える取付け部材を有し、作業足場が反対側に、作業足場を取付ける第２の器具を有し、第２の器具が引張装置と結合され、引張装置の一方の端部が作業足場と、他方の端部が立て支材と不動及び／又は可動に結合され、単数個又は複数個の横支材の取付けのための少なくとも１個の別の立て支材を、第１の立て支材に対し間隔を置いて作業足場に取付けることができる。
【０００６】
作業架台の有利な構造と配置によって、作業架台は開口部を備えたただ１つの垂直壁でも、この開口部に簡単に締結され、そのために反対側の支持部材として形成された壁部材は必要でない。作業架台の立て支材は壁体開口部に簡単にはめ込まれ、その際立て支材の下部は床又は床の被覆材に支えられ、壁の内側に面した上部は開口部の上側を画定する。
【０００７】
そのために第１の立て支材が全作業足場を支承又は担持することが好ましい。
【０００８】
別の実施形態によれば、作業足場の支持又は支承のための第１の器具をさらに嵌合部材及び／又はかみ合い部材として形成することが可能である。
【０００９】
また第１の器具を山形材として形成し、これを壁又は戸口敷居の隅角部に支えることが好ましい。山形材を使用することによって、立て支材が床の隅角区域に簡単に支持及び締結されて、床が全足場の主荷重を支え、立て支材の上部は足場の引張荷重だけを受ける。
【００１０】
また立て支材の確実取付けのための垂直取付け部材及び／又は床板を結合する横ばりの取付けのための第２の水平取付け部材を第１の器具に設けることが好ましい。
【００１１】
最後に本発明に基づく解決策の好ましい実施形態によれば、少なくとも２個の取付け部材が一体の部材をなす。
【００１２】
さらに立て支材の確実取付けのための水平取付け部材及び／又は横ばり及び／又は床板の取付けのための第２の取付け部材を第１の器具に接続することが好ましい。水平取付け部材を使用することによって、側材又は格子固定具もしくは装置内部で高さを簡単に変えることができるように足場を取付けるための別の支材を、足場に簡単に取付けることができる。本例では作業架台の右側部分だけが示されている。作業架台は２個の同様又は同一の取付け部材からなり、取付け部材の間に足場又は床板が懸架又は固定される。床板又は足場の両側は、横支材として形成された横境界によって保護される。
【００１３】
本発明にとって特に重要ななのは、少なくとも１個の取付け部材が山形材と固結されることである。
【００１４】
本発明に基づく構造及び配置に関連して、引張材が別の取付け部材を介して立て支材の上部区域で立て支材と結合されることが好ましい。
【００１５】
また取付け部材及び／又は立て支材に、水平又はほぼ水平の又は傾斜した別の支材及び／又は床板の取付けのための少なくとも各々１個の別の取付け部材を設けることが好ましい。
【００１６】
さらに取付け部材は支材に調整可能に支承し、ロッキング部材又はボルトにより支材に固定することが好ましい。
【００１７】
また取付け部材の一部は管状部材として、その他の部分は山形材、Ｌ形材又はＵ形材として形成することが好ましい。
【００１８】
最後に、連結される取付け部材は回動自在に連結し得ることが好ましい。
【００１９】
さらに作業足場又は床板は、ドア開口部を通って旋回し得るような大きさの幅及び／又は長さを有することが好ましい。
【００２０】
発明のその他の利点と細部は特許請求の範囲及び明細書で説明し、かつ図に示した。
【発明を実施するための最良の形態】
【００２１】
図面の１は作業足場の取付け及び／又は調整のための装置を示す。装置は２つの相対する壁部１０．１、１０．２の間か又は単に一方の垂直壁１０．１、７の壁体開口部にはめ込んで固定することができる。作業足場の固定装置は第１の器具４を有する。器具４は支持部材として形成され、本例では山形片をなす。第１の器具又は山形片４を壁部１０．１の床又は戸口敷居７の隅角部に据え付け、こうして作業足場の取付け及び／又は調整のための装置全体を取付けることが好ましい。第１の器具又は山形はり材４に保持具１２が固定されて接続する。保持具１２は水平取付け部材１２．１からなる。水平取付け部材１２．１の横断面は溝形材状に形成することができる。保持具１２の取付け部材１２．１の中に水平取付け部材が挿着される。水平取付け部材は四角又は方形管１２．２として形成されており、垂直の四角又は方形管１２．３と結合し又は取付け部材１２．１の壁部に溶接することができる。保持具１２の四角又は方形管１２．２に横ばり１６が挿着され、同じくロックされている。Ｕ形取付け部材１２．１の側辺部に、ボルト２３の取付けのための単数個又は複数個の穴２４を設けることができる。ボルト２３は四角又は方形管１２．２、はり１６及び四角又は方形管１２．３の図示しない穴を貫通する。はり１６を取付け部材４の中で水平にずらせ、様々な条件、例えば図１に関連して壁部１０．１、１０．２の間のシャフト幅に適応させるために、取付け部材１２．１の側辺部及び／又ははり１６に複数個の並置された穴を設けることもできる。
【００２２】
横ばり１６の脇で立て支材１４の下端を四角又は方形管１２．３に取付けることができる。立て支材１４も上記のボルト２３でロックすることができる。立て支材１４は簡単な四角管として形成することができ、又は伸縮管として形成し、こうして立て支材の長さを変えて、種々の作業条件に適応させることができる。
【００２３】
取付け部材１２は前述のように山形片４と固結され、又はねじ部材により取外し可能に結合される。本例では図４に右側の取付け部材１２だけが設けられている。しかし作業足場は、はり１６に設けた少なくとも２個の同じ取付け部材１２が両側に必要である。床板１５は図１に示されており、互いに間隔をおいて配置された２本の横ばり１６の上にあり、この横ばりに固定することができる。床板１５は作業足場を形成し、その上で作業員は自由に移動することができる。
【００２４】
取付け部材４の反対側の端部６に第２の器具又は結合部材９がある。これを図３及び４に詳しく示す。結合部材９は保持具又は引張材１１の接続のために使用される。引張材１１はこの場合一端がボルト又はヒンジ継手２０により結合部材９と不動又は回動自在に結合され、引張材１１の他端は別の上側垂直取付け部材１２に同じくヒンジピン２１を介して接続される。図４の上側取付け部材１２は立て支材１４に不動に、但し上下移動可能に結合されている。
【００２５】
第２の器具又は結合部材９（図２、４）は図３と同様に垂直取付け部材２６と水平取付け部材１７からなる。これらの取付け部材も四角管として形成することができる。取付け部材２６に立て支材３３、取付け部材１７に横支材１６が取付けられる。支材１６及び３３は図１及び２で詳しく説明した。支材１６及び３３は結合ボルト２３によりロックすることができる。取付け部材２６に傾斜した取付け部材１８が接続する。取付け部材１８の横断面は溝形材からなり、これに引張材又は傾斜した支材１１の下端が挿着され、ロッキングボルト２０によってロックされる。ボルト２０を種々異なる位置に差し込んで、支材の接続位置を変えるために、取付け部材１８及び／又は引張材１１に複数個の並置された穴を設けることができる。引張材１１の他方又は上側の端部も傾斜した取付け部材１８．１の中に配置され、ロッキングボルト２１によってロックされる。２つの取付け部材１８及び１８．１は垂直又は水平との間に４５°の角を挟むが、水平に対する取付け部材１８．１又は１８の角位置を変えることができるように、水平取付け部材１７及び垂直取付け部材２６と結合することもできる。
【００２６】
垂直取付け部材１２も四角管１２．３からなり、これに立て支材１４が取付けられる。
【００２７】
取付け部材９及び１２は作業架台の両側にある。本例では図１及び２により作業架台を長方形に形成することができる。本例では２本の立て支材１４があって、これに２本の引張すじかい１１が接続する。即ち立て支材は互いに間隔をおいて配置され、床板１５の端部区域に設けられている。支材１４及び３３の間に床板１５の取付けのための水平の横支材１６があり、また横支材２９、３０及び３１又は図２により横支材３４、３４．２、３５及び３６がある。横支材２９ないし３１又は３４．２ないし３６の端部はそれぞれ取付け部材１３、１３．１、１３．２に取付けられている。図４によれば、これらの取付け部材は種々の保持具１２及び９に、又は直接に立て支材１４、１４．２及び３３に接続される。
【００２８】
取付け部材１３、１３．１、１３．２は各々１個の保持具により同じく立て支材１４、３３に装着することができる。取付け部材１３、１３．２は前述のように横ばり２９、３１及び３４．２、３５の取付けのために使用される。取付け部材１３、１３．２を含む横支材２９、３１及び３４．２、３５、取付け部材１３．１を含む横支材３０並びに横支材１６、３４及び３６は、図示しないボルトでロックすることができ、横支材３６は手すりとして形成することができる。横支材１６、２９ないし３１及び３４ないし３６は一方では足場の横境界をなし、足場上の作業員の保護のために利用される。しかし横支材１６、３４を床板の取付けのために使用することも可能である。床板は作業条件に応じて様々な高さに取付けることができ、こうして上側への工事の進行に追従して、様々な平面上の係員に作業足場を提供する。
【００２９】
本例では図２により別の立て支材１４．２が設けられる。立て支材１４．２の下端は取付け部材１３．２を介して横支材３４に不動及び／又は取外し可能に結合することができる。また立て支材１４．２は取付け部材１３を有し、これに横支材３５、３４．２が装着される。こうして異なる高さの別個の作業足場が得られる。
【００３０】
立て支材１４及び／又は立て支材１４．２はすべての個別部材を含む単数個又は複数個の作業足場の全重量を受けることができるように形成することが好ましい。そのために立て支材１４の下端は前述のように壁部７に支えられ、その上側突当て部材１４．１はドア開口部１９のまぐさ１９．１の内側に支えられる。まぐさ１９．１は作業架台２の全転倒モーメントを受ける。作業架台２のその他の部材は、並列する２本の引張すじかい１１だけで受け止められる。別の支持部材は不要である。横支材１６、２９ないし３１及び３４ないし３６は長さ可変に形成することもでき、こうして例えば足場の作業範囲を拡大し、又は図示しないシャフト奥行に足場を適応させることができる。
【図面の簡単な説明】
【００３１】
【図１ａ】エレベータシャフトのため又は建物の壁開口部に取付けるための作業架台の概略図を示す。
【図１ｂ】旋回可能な作業架台の種々の位置を示す。
【図２】作業架台の上端に固定した二段式作業架台の別の実施例を示す。
【図３】作業架台の支材の結合のための種々の器具を示す。
【図４】作業架台の支材の結合のための種々の器具を示す。
【符号の説明】
【００３２】
１          作業足場の取付け及び／又は調整のための装置
２          作業足場、作業架台、
４          第１の器具、山形材、Ｕ形取付け部材、嵌合部材、かみ合い部材
６          作業足場の反対側又は端部
７          壁部、戸口敷居、受台
９          第２の器具、結合部材、取付け部材
１０．１    エレベータシャフトの壁部
１０．２    エレベータシャフトの壁部
１１        保持具、引張材、引張すじかい
１２        取付け部材、四角管、保持具
１２．１    第１のＵ形取付け部材
１２．２    第２の水平取付け部材＝四角管
１２．３    四角又は方形管
１３        Ｕ形取付け部材
１３．１    Ｕ形二重継手
１３．２    取付け部材
１４        支材、立て支材
１４．１    立て支材もしくは壁部７又はまぐさの内側への立て支材の突当て部
１４．２    第２の立て支材
１５        横支材、床板（足場）
１６        はり、横支材
１７        水平取付け部材
１８        取付け部材
１８．１    取付け部材
１９        ドア開口部
１９．１    まぐさ
２０        ヒンジ継手、ロッキングボルト
２１        ヒンジピン
２３        ボルト
２４        穴
２６        四角はり垂直取付け部材
２９        はり又は横支材
３０        はり又は横支材
３１        はり又は横支材
３３        立て支材
３４        横支材
３４．２    横支材
３５        横支材
３６        横支材
2005536668.tif 000003
2005536668.tif 000004
【図２】
2005536668.tif 000005
【図３】
2005536668.tif 000006
【図４】
2005536668.tif 000007
【手続補正書】
【提出日】平成16年9月16日(2004.9.16)
【手続補正１】
【補正対象書類名】特許請求の範囲
【補正対象項目名】全文
【補正方法】変更
【補正の内容】
【特許請求の範囲】
【請求項１】
作業架台において、
下記の特徴、即ち
１．１．    作業架台が作業足場（２）の取付け及び／又は調整のための装置（
１）を有し、
１．２．    作業足場（２）の装置（１）が支持部材（４）を有し、これに作業
足場（２）が第１の保持具（１２）を介して接続され、かつ支持部
材（４）が全装置（１）を担持し、
１．３．    第１の保持具（１２）により作業足場（２）が第１の側（６ａ）の
区域で受台（７）又は壁部（１０．１）に支えられ、
１．  ３ａ．作業足場（２）が第１の保持具（１２）を介して、作業足場（２）
の横ばり（１６）に対しておおむね直角に配置された立て支材（１
４）と結合され、
１．４．    作業足場（２）が第１の側（６ａ）の反対側の第２の側（６ｂ）に
第２の保持 具（９）を有し、保持具（９）によって作業足場（２）
を取付けることができ、
１．５．    第２の保持具（９）が引張すじかい（１１）と結合され、
１．６．    引張すじかい（１１）の一方の端部が作業足場（２）と、他方の端
部が立て支材（１４）と不動及び／又は可動に結合され、
１．７．    作業足場（２）に第１の立て支材（１４）と平行にかつ間隔をおい
て、単数個又は複数個の横支材（３０）の取付けのための少なくと
も１個の別の立て支材（３３）を取付けることができる
という特徴を有する作業架台において、
立て支材（１４）及び引張すじかい（１１）を介して立て支材（１４）と結合された作業足場（２）の横ばり（１６）が第１の保持具（１２）により、共通のボルト（２３）の周りに同時に旋回し得るように支持部材（４）に支承されることを特徴とする作業架台。
【請求項２】
横ばり（１６）と立て支材（１４）が第１の保持具（１２）に挿着され、それぞれボルト（２３）によりロックされることを特徴とする請求項１に記載の装置（１）。
【請求項３】
作業足場（２）が横ばり（１６）及び横ばり（１６）の上に載置された床板（１５）からなり、横ばり（１６）が第２の保持具（９）を介して引張すじかい（１１）と結合されていることを特徴とする請求項２に記載の装置（１）。
【請求項４】
引張すじかい（１１）がヒンジ継手（２０）により第２の保持具（９）と回動自在に結合されていることを特徴とする請求項３に記載の装置（１）。
【請求項５】
第１の立て支材（１４）がおおむね水平に配置された３本の横支材（２９、３０、３１）を介して第２の立て支材（３３）と結合されていることを特徴とする請求項４に記載の装置（１）。
【請求項６】
床板（３９）を有する第２の作業足場（２’）が作業足場（２）の上側に設けられ、床板（３９）が横ばり（３４）を介して第１の立て支材（１４）及び第２の立て支材（３３）と結合されていることを特徴とする請求項５に記載の装置（１）。
【請求項７】
第２の作業足場（２’）に立て支材（１４．２）と後部立て支材（３７）が配属され、立て支材（１４．２）が横ばり（３４）に固定され、後部支材（３７）が立て支材（３３）に差し込まれていることを特徴とする請求項６に記載の装置（１）。
【請求項８】
立て支材（１４．２）及び後部支材（３７）が３本のおおむね水平に延びる横支材（３４．２、３５、３６）を介して結合されていることを特徴とする請求項７に記載の装置（１）。
【請求項９】
作業足場（２’）が通路としての、かつ梯子（３８）のための開口部を有することを特徴とする請求項８に記載の装置（１）。
【請求項１０】
第１の立て支材（１４）が全作業足場（２）を支承又は担持することを特徴とする上記請求項のいずれか１つに記載の装置（１）。
【請求項１１】
支持部材（４）が壁部（１０．１）又は戸口敷居（７）の隅角部に支えられる山形材として形成されていることを特徴とする請求項１に記載の装置（１）。
【請求項１２】
第１の保持具（１２）が立て支材（１４）の確実取付けのための垂直取付け部材（１２．３）及び／又は床板（１５）が結合される水平の横ばり（１６）の取付けのための第２の水平取付け部材（１２．２）並びに垂直及び水平取付け部材（１２．２、１２．３）の取付けのためのＵ形取付け部材（１２．１）を有することを特徴とする請求項１又は１０のいずれか１つに記載の装置（１）。
【請求項１３】
少なくとも水平取付け部材（１２．１）及び垂直取付け部材（１２．３）が一体の部材をなすことを特徴とする請求項１２に記載の装置（１）。
【請求項１４】
Ｕ形取付け部材（１２．１．３）を山形材として形成された支持部材（４）に固結することができることを特徴とする請求項１０に記載の装置（１）。
【請求項１５】
引張すじかい（１１）が上側保持具（３）を介して、立て支材（１４）の上部区域で立て支材（１４）と結合されていることを特徴とする請求項１又は１０のいずれか１つに記載の装置（１）。
【請求項１６】
保持具（１２、９）及び／又は立て支材（１４、３３）にそれぞれ少なくとも１個の結合装置（１３、１３．１、１３．２）が設けられ、水平又はほぼ水平に延びる、もしくは傾斜した別の横支材（３０）及び／又は床板の取付けのために使用されることを特徴とする請求項１又は１０のいずれか１つに記載の装置（１）。
【請求項１７】
結合装置（１３．１、１３．２）が立て支材（１４、３３）に変位可能に支承され、ロッキング部材又はボルト（２３）により支材（１４、３３）に固定することができることを特徴とする請求項１６に記載の装置。
【請求項１８】
作業足場（２）又は床板（１５）がドア開口部（１９）を通って旋回し得る大きさの幅及び／又は長さを有することを特徴とする請求項１又は１０のいずれか１つに記載の装置（１）。
【手続補正２】
【補正対象書類名】明細書
【補正対象項目名】全文
【補正方法】変更
【補正の内容】
【発明の詳細な説明】
【技術分野】
【０００１】
本発明は作業足場の取付け及び／又は調整のための作業架台に関する。
【背景技術】
【０００２】
作業架台は作業足場の取付け及び調整のための装置を有し、作業足場の装置は支持部材を有し、支持部材に作業足場が第１の保持具を介して接続され、かつ支持部材が全装置を担持し、第１の保持具により作業足場の第１の側の区域が受台又は壁部に支えられ、作業足場が第１の保持具を介して、作業足場の横ばりに対しておおむね直角に配置された立て支材と結合され、作業足場が第１の側の反対側の第２の側に第２の保持具を有し、第２の保持具によって作業足場を取付けることができ、第２の保持具が引張すじかいと結合され、引張すじかいの一方の端部が作業足場と、他方の端部が立て支材と不動及び／又は可動に結合され、作業足場に第１の立て支材と平行にかつ間隔をおいて、単数個又は複数個の横支材の取付けのための少なくとも１個の別の立て支材を取付けることができる。
【０００３】
刊行物ＦＲ２６４１０１８はエレベータシャフトのための組立装置に関するものである。組立装置は戸口敷居に固定され、２本の平行なはりを有し、これらのはりは反対側の壁に支えられる。さらに水平な作業足場への入口として、補助梯子部材が設けられている。はりはロックピン付き伸縮ロッドとして形成され、水平との間に２５°の角を挟む。この組立装置は大変複雑であり、多数の部材で構成されている。迅速簡単な組立は不可能である。
【０００４】
また下記の特徴を有する作業架台が周知である（ＤＥ１９９２８５７４Ｃ２）。作業架台は作業足場の取付け及び／又は調整のための装置を有する。装置は作業足場の調整のために使用され、保持具又は支持部材を装備し、これに作業足場が調整可能に配置されている。この保持具又は取付け部材は受座部材として利用される。そのために保持具は、作業足場の一方の側の区域を受台又は壁部に支える器具を有する。また作業足場は反対側に、支持部材によって同じく受台又は壁部に支えられる第２の器具を有する。保持具は反対側に作業足場のためのロッキング装置を有する。ロッキング装置は保持具及び支持装置としてのはりからなり、壁部に当接される第２の支持部材を有する。保持具は引張部材として形成され、その一端が作業足場と、他端がはりと移動可能に結合されている。作業足場を支持するために、作業足場はシャフト内に設けられた少なくとも２個の相対する側壁が必要である。
【０００５】
ＤＥ８０３０７５Ｃ及びWO００／７０１６９Ａはドア開口部に対して不動に配置された立て支材を有し、作業足場の取付けのための横ばりがこの立て支材に旋回可能に支承された作業架台をそれぞれ記載する。横ばりは立て支材の反対側が引張すじかいにより固定され、引張すじかいは横ばりの上側で立て支材に固定されている。作業足場を畳んだり広げたりするために、引張すじかいを折り曲げることができる。
【発明の開示】
【発明が解決しようとする課題】
【０００６】
本発明の根底にあるのは、１人の人員が壁体又はドア開口部の区域に短時間で組み立てることができるエレベータシャフト又はその他のシャフト用の簡単な構造の作業架台を提供する課題である。
【課題を解決するための手段】
【０００７】
この課題は、本発明に基づき立て支材と、引張すじかいを介して立て支材と結合された作業足場の横ばりとを、第１の保持具により共通のボルトの周りに同時に旋回し得るように支持部材に支承することによって解決される。  
【０００８】
作業架台の有利な構造と配置によって、作業架台は開口部を備えたただ１つの垂直壁でも、この開口部に簡単に締結され、そのために壁体又はドア開口部の反対側の壁部材は必要でない。作業架台の立て支材は壁体開口部に簡単にはめ込まれ、その際立て支材の下部は床又は床の被覆材に支えられ、上部は組立が行われる壁の内側に向かって旋回され、壁に当接される。
【０００９】
簡単な組立に関連して、横ばりと立て支材を第１の保持具に挿着し、それぞれボルトによってロックすることが好ましい。
【００１０】
そのために作業足場が横ばり及び横ばりに載置された床板からなり、横ばりが第２の保持具を介して引張すじかいと結合されることが好ましい。
【００１１】
シャフトの大きさへの適応に関して、引張すじかいがヒンジ継手により第２の保持具と回動自在に結合されることが好ましい。
【００１２】
また第１の立て支材は３本のおおむね水平に配置された横支材を介して第２の立て支材と結合されることが好ましい。
【００１３】
融通の利く使用という点で、作業足場の上側に床板付きの第２の作業足場を設け、横ばりを介して床板を第１の立て支材及び第２の立て支材と結合することが好ましい。
【００１４】
さらに第２の作業足場に立て支材及び後部立て支材を配属し、立て支材を横ばりに固定し、後部支材を立て支材に差し込むことが好ましい。
【００１５】
立て支材と後部支材は３本のおおむね水平の横支材を介して結合することが特に好ましい。
【００１６】
さらに作業足場が通路としての、かつ梯子のための開口部を有することが好ましい。
【００１７】
さらに第１の立て支材が全作業足場を支承又は担持することが好ましい。
【００１８】
別の実施形態によれば、作業足場の支持又は取付けのための支持部材をさらに嵌合部材及び／又はかみ合い部材として形成することが可能である。
【００１９】
また支持部材を山形材として形成し、これを壁又は戸口敷居の隅角部に支えることが好ましい。山形材を使用することによって、立て支材が床の隅角区域に簡単に支持及び締結され、床が全足場の主荷重を支え、立て支材の上部は足場の引張荷重だけを受ける。
【００２０】
また第１の保持具は、立て支材の確実取付けのための垂直取付け部材及び／又は床板を結合する水平の横ばりの取付けのための第２の水平取付け部材と垂直及び水平取付け部材の取付けのためのＵ形取付け部材を有することが好ましい。
【００２１】
水平取付け部材を使用することによって、側材又は格子固定具、さらには装置内部で高さが簡単に変えられるように作業足場を取付けるための別の支材を、作業足場に簡単に取付けることができる。本例では作業架台の右側部分だけが示されている。作業架台は２個の同様又は同一の取付け部材の間に作業足場又は床板を懸架又は固定したものである。床板又は足場の側面は、横支材として形成された横境界によって保護される。
【００２２】
最後に、本発明に基づく解決策の好ましい実施形態によれば、少なくとも水平取付け部材と垂直取付け部材は一体の部材をなす。
【００２３】
本発明にとって特に重要なのは、Ｕ形取付け部材が山形材として形成された支持部材と固結されることである。
【００２４】
本発明に基づく構造及び配置に関連して、引張すじかいが上側保持具を介して立て支材の上部区域で立て支材と結合されることが好ましい。
【００２５】
また保持具及び／又は立て支材に、水平又はほぼ水平の又は傾斜した別の横支材及び／又は床板の取付けのための少なくとも各々１個の結合装置を設けることが好ましい。
【００２６】
さらに結合装置を立て支材に変位可能に支承し、ロッキング部材又はボルトにより立て支材に固定することが好ましい。
【００２７】
また取付け部材の一部は管状部材として、その他の部分は山形材、Ｌ形材又はＵ形材として形成することが好ましい。
【００２８】
最後に、互いに連結された取付け部材は回動自在に連結することが好ましい。
【００２９】
さらに作業足場又は床板はドア開口部を通って旋回し得るような大きさの幅及び／又は長さを有することが好ましい。
【００３０】
発明のその他の利点と細部は特許請求の範囲及び明細書で説明し、図示した。
【発明を実施するための最良の形態】
【００３１】
図面の１は作業足場の取付け及び／又は調整のための装置を示す。装置はエレベータシャフトの２つの相対する壁部１０．１、１０．２の間か又は単に一方の垂直壁１０．１の壁体開口部の戸口敷居７の区域にはめ込んで固定することができる。作業足場の固定のための装置１は、支持部材４として形成された脚部を有する。脚部は本例では山形片をなす。支持部材４又は山形片を壁部１０．１の床又は戸口敷居７の隅角部に据え付け、こうして作業足場の取付け及び／又は調整のための全装置１を取付けることが好ましい。支持部材又は山形はり材４に第１の保持具１２が固定されて接続する。
【００３２】
第１の保持具１２は図４に示すように、横断面がＵ字形状に形成された水平取付け部材１２．１からなる。保持具１２のＵ形取付け部材１２．１の中に水平取付け部材１２．２が挿着されている。水平取付け部材１２．２は四角又は方形管として形成され、垂直取付け部材１２．３と結合し、又は垂直取付け部材１２．３の壁部に溶接することができる。垂直取付け部材１２．３は四角又は方形管として形成されている。保持具１２の水平取付け部材１２．２に水平の横ばり１６が挿着され、同じくロックされている。Ｕ形取付け部材１２．１の側辺部に、ボルト２３の取付けのための単数個又は複数個の穴２４を設けることができる。ボルト２３は水平取付け部材１２．２、横ばり１６及び垂直取付け部材１２．３の図示しない穴を貫通する。横ばり１６を支持部材４の中で水平にずらせ、様々な条件、例えば図１ａ及び１ｂに関連して壁部１０．１、１０．２の間のシャフト幅に適応させるために、Ｕ形取付け部材１２．１の側辺部及び／又は横ばり１６に複数個の並置された穴を設けることもできる。
【００３３】
垂直に整列された支材又は立て支材１４の下端を、横ばり１６の脇で垂直取付け部材１２．３に取付けることができる。立て支材１４も上記のボルト２３でロックすることができる。立て支材１４は簡単な四角管又は伸縮管として形成することができ、こうして立て支材１４の長さを変えて、種々の作業条件に適応させることができる。
【００３４】
第１の保持具１２は前述のように山形片４と固結され、又は図示しないねじ部材により取外し可能に結合される。本例では図４に右側の取付け部材１２だけが設けられている。しかし作業足場２は、図平面に対し直角の方向に間隔をおいた少なくとも２個の同じ第１の保持具１２が必要であり、これらの保持具１２にそれぞれ横ばり１６が設けられる。床板１５は図１ａ及び１ｂに示されており、互いに間隔をおいて配置された２本の横ばり１６の上に載置され、この横ばり１６とともに固定することができる。図平面に対し直角に後方へずらせて配置された第１の保持具１２及びそれに属する横ばり１６は図示しない。床板１５は作業足場を形成し、その上で作業員は自由に移動することができる。
【００３５】
支持部材４は作業足場２の第１の側６ａに固定されている。支持部材４の反対側の作業足場２の第２の側６ｂに、図３及び４で詳しく説明する第２の保持具９がある。第２の保持具９は引張すじかい１１の接続のために使用され、引張すじかい１１はこの場合一端がボルト又はヒンジ継手２０により第２の保持具９と不動又は回動自在に結合され、引張すじかい１１の他端は別の上側垂直保持具３に同じくヒンジピン２１を介して接続される。図２及び４の上側保持具３は立て支材１４に不動に、但し上下移動可能に結合されている。
【００３６】
第２の保持具９は図３及び４に示すように、垂直取付け部材２６と水平取付け部材１７からなる。これらの取付け部材も四角管として形成することができる。取付け部材２６に垂直の立て支材３３が、取付け部材１７に水平の横ばり１６が取付けられる。横ばり１６及び立て支材３３は図１ａ及び２で詳しく説明してあり、図４に示したボルト２３でロックすることができる。
【００３７】
取付け部材２６に傾斜した取付け部材１８が接続する。取付け部材１８の横断面はＵ形材からなり、これに傾斜した引張すじかい１１の下端が挿着され、ロッキングボルト２０によってロックされる。ロッキングボルト２０を種々異なる位置に差し込んで、引張すじかい１１の接続位置を変えるために、取付け部材１８及び／又は引張すじかい１１に複数個の並置された穴を設けることができる。引張すじかい１１の他方又は上側の端部も傾斜した取付け部材１８．１の中に配置され、ロッキングボルト２１によってロックされる。２つの取付け部材１８及び１８．１は垂直又は水平との間に４５°の角を挟むが、水平に対する取付け部材１８．１又は１８の角位置を変えることができるように、水平取付け部材１７及び垂直取付け部材２６と結合することもできる。
【００３８】
２つの保持具９及び１２は作業架台２の両側にある。本例では図１ａ、１ｂ及び２により作業架台２は長方形に形成されている。本例では２本の立て支材１４、３３があり、これに２本の引張すじかい１１が接続する。立て支材１４、３３は互いに間隔をおいて配置され、立て支材３３は床板１５の第２の側６ｂの区域に設けられている。立て支材１４及び３３の間に、床板１５の取付けのための水平の横ばり１６並びに横支材２９、３０及び３１又は図２により別の床板３９の取付けのための横支材３４．２、３５及び３６並びに横ばり３４がある。図１ａによれば横支材３０及び３１の端部はそれぞれ結合装置１３．１、１３．２に取付けられている。装置１３．１、１３．２が取付けられ。結合装置１３．１、１３．２は図４の結合装置１３．３で例示するように、種々の保持具１２及び９に、又は図２により直接に立て支材１４及び３３に接続される。
【００３９】
結合装置は各々１個の保持具５により同じく立て支材１４、３３に装着することができる。結合装置１３．１、１３．２はすでに説明し、図１ａに示したように、水平の横支材３０、３１の取付けのために使用される。図２によれば横支材３４．２は、保持具５に直接取付けた結合装置１３．４と結合されている。結合装置１３．１ないし１３．４を含む横支材２９ないし３１及び３４．２ないし３６並びに横ばり１６、３４は、図示しないボルトでロックすることができ、横支材３６は手すりとして形成することができる。
【００４０】
横支材２９ないし３１及び３４．２ないし３６は一方では作業足場２、２’の横境界をなし、作業足場２、２’の上の作業員の保護のために利用される。しかし横ばり１６、３４を床板１５の取付けのために使用することも可能である。床板１５は作業条件に応じて様々な高さに取付けることができ、こうして上側への工事の進行に追従して、様々な平面上の係員に作業足場２、２’を提供する。
【００４１】
本例では図２により別の立て支材１４．２及び後部支材３７が設けられ、立て支材１４．２の下端は結合装置を介して横支材３４と不動及び／又は取外し可能に結合することができる。また立て支材１４．２は結合装置を有し、これに横支材３５、３４．２及び３６が装着される。こうして異なる高さの２つの別個の作業足場２、２’が得られる。下側作業足場２の区域に起立する梯子３０を経て、上側作業足場２’又は床板３９に到達することができる。  
【００４２】
立て支材１４及び／又は立て支材１４．２はすべての個別部材を含む単数個又は複数個の作業足場２の全重量を受けることができるように形成することが好ましい。そのために立て支材１４の下端は前述のように壁部１０．１に、その上側突当て部材１４．１はドア開口部１９のまぐさ１９．１の内側４０に支えられる。まぐさ１９．１は作業足場２の全転倒モーメントを受ける。作業足場２のその他の部材は、並列する２本の引張すじかい１１だけで受け止められる。別の支持部材は不要である。
【００４３】
横ばり１６並びに横支材２９ないし３１及び３４ないし３６は長さ可変に形成することもできる。こうして例えば作業足場２の作業範囲を拡大し、又は図示しないシャフト奥行に作業足場２を適応させることができる。
【図面の簡単な説明】
【００４４】
【図１ａ】エレベータシャフトのため又は建物の壁開口部に取付けるための作業架台の概略図を示す。
【図１ｂ】旋回可能な作業架台の種々の位置を示す。
【図２】作業架台の上端に固定した二段式足場を有する作業架台の別の実施例を示す。
【図３】作業架台の支材の結合のための種々の器具を示す。
【図４】作業架台の支材の結合のための種々の器具を示す。
【符号の説明】
【００４５】
１          装置
２          作業足場
２’        作業足場
３          上側保持具
４          支持部材、山形ばり
５          保持具
６ａ        作業足場の第１の側
６ｂ        作業足場の第２の側
７          受台、戸口敷居
９          第２の保持具
１０．１    エレベータシャフトの壁部
１０．２    エレベータシャフトの壁部
１１        引張すじかい
１２        第１の保持具、取付け部材
１２．１    Ｕ形取付け部材
１２．２    水平取付け部材
１２．３    垂直取付け部材
１３．１    結合装置
１３．２    結合装置
１３．３    結合装置
１３．４    結合装置
１４        立て支材、支材
１４．１    立て支材、上側突当て部材
１４．２    立て支材
１５        床板
１６        横ばり
１７        水平取付け部材
１８        取付け部材
１８．１    取付け部材
１９        ドア開口部
１９．１    まぐさ
２０        ヒンジ継手、ロッキングボルト
２１        ヒンジピン、ロッキングボルト
２３        ボルト、ロッキングボルト
２４        穴
２６        垂直取付け部材
２９        横支材
３０        横支材
３１        横支材
３３        立て支材、支材
３４        横ばり
３４．２    横支材
３５        横支材
３６        横支材
３７        後部支材
３８        梯子
３９        床板
４０        内側  
【手続補正書】
【提出日】平成17年7月8日(2005.7.8)
【手続補正１】
【補正対象書類名】特許請求の範囲
【補正対象項目名】請求項１
【補正方法】変更
【補正の内容】
【請求項１】
作業架台であって、
当該作業架台が作業足場（２）の取付け及び／又は調整のための装置（１）を有し、
作業足場（２）の装置（１）が支持部材（４）を有し、これに作業足場（２）が第１の保持具（１２）を介して接続され、かつ支持部材（４）が全装置（１）を担持し、
第１の保持具（１２）により作業足場（２）が第１の側（６ａ）の区域で受台（７）又は壁部（１０．１）に支えられ、
作業足場（２）が第１の保持具（１２）を介して立て支材（１４）と結合され、
作業足場（２）が第１の側（６ａ）の反対側の第２の側（６ｂ）に第２の保持具（９）を有し、保持具（９）によって作業足場（２）を取付けることができ、
第２の保持具（９）が引張すじかい（１１）と結合され、
引張すじかい（１１）の一方の端部が作業足場（２）と、他方の端部が立て支材（１４）と不動及び／又は可動に結合され、
作業足場（２）に第１の立て支材（１４）と平行にかつ間隔をおいて、単数個又は複数個の横支材（３０）の取付けのための少なくとも１個の別の立て支材（３３）を取付けることができるように構成された、作業架台において、
立て支材（１４）及び引張すじかい（１１）を介して立て支材（１４）と結合された作業足場（２）の横ばり（１６）が第１の保持具（１２）により、共通のボルト（２３）の周りに旋回し得るように支持部材（４）に支承されることを特徴とする作業架台。
【手続補正２】
【補正対象書類名】明細書
【補正対象項目名】０００７
【補正方法】変更
【補正の内容】
【０００７】
この課題は、本発明に基づき立て支材と、引張すじかいを介して立て支材と結合された作業足場の横ばりとを、第１の保持具により共通のボルトの周りに旋回し得るように支持部材に支承することによって解決される。  
【国際調査報告】
2005536668.tif 000008
2005536668.tif 000009
2005536668.tif 000010
2005536668.tif 000011